(57)【特許請求の範囲】
【請求項１】
固体汚染物を含む液体を供給するための流体動力で駆動される遠心クリーナ（２５）であって、該遠心クリーナがハウジング（２７）を備え、該ハウジングが
（ｉ）周囲圧力に保たれた排出領域（２６，２９）を画成する台部（２８）と、（ｉｉ）台部から作用可能な垂直軸線（３１）に沿ってハウジングを通じて延在しかつ前記の汚染した液体を受け入れるための軸線方向に延在する主入口通路（３４）を含むスピンドル装置（３０）と、（ｉｉｉ）排出領域および主入口通路と連絡する環状汚染物室（４１）を備えているスピンドル装置のまわりに回転するために該スピンドル装置上に支持された回転子（４０）と、（ｉｖ）内部に超周囲圧力に保たれた駆動流体の首尾一貫した供給を受け入れるためにハウジングに対して固定された第１部分（５１）と、軸線のまわりに回転するように回転子と結合された第２部分（５３，５４，５５）とを備えている流体で作動する回転子駆動装置（５０）とを有し、第２部分は第１部分および第２部分を経て前記排出領域への前記液体と異なる駆動流体の流れをひき起こして汚染物容器を通過する前記液体からの固体汚染物の遠心分離を行うために必要な少なくとも最低速度において回転子の回転をひき起こすために作動可能である遠心クリーナにおいて、
（ｖ）ハウジングへの且つ該ハウジングを通しての前記の汚染した液体の供給と同時に回転子（４０）の取り外しを可能にするために作動可能な制御弁装置（８０）を特徴とする流体動力で駆動される遠心クリーナ。
【請求項２】
制御弁装置（８０）が回転子駆動装置の第１部分に駆動流体を送りまたは送りを妨げるために作用可能な駆動流体部分（８１）と、駆動流体部分と共に前記液体の流れを主入口通路（３４）から排出領域（２６，２９）にそらせるために駆動流体の流れを妨げる液体部分（８２）とを含むことを特徴とする請求の範囲第１項に記載の遠心クリーナ。
【請求項３】
駆動流体部分（８１）および液体部分（８２）がハウジング内の開口部（８５）を通じて延在する単一の弁本体（８４）により画成され、該開口部内の弁本体（８５）の位置の如何により、該開口部に対して前記駆動流体が弁本体の一端部（８７）に供給されて、回転子駆動装置の前記第１部分（５１）にその横方向にそらされ、または弁本体により閉塞され、かつ前記主入口通路（３４）、排出領域（２６，２９）および液体源が該弁本体と該開口部との間に凹部を有する弁本体（９５）の異なる部分と連絡し、該凹部が該開口部内の弁本体の位置の如何により主入口通路（３４）または排出領域を汚染した液体源と接続するために作動可能であることを特徴とする請求の範囲第２項に記載の遠心クリーナ。
【請求項４】
制御弁装置（８０）が締切弁（９０）を含み、締切弁（９０）が弁本体内の凹部に沿って延在しかつ弁本体の前記一端部に向かって偏位（９２）され、弁本体の端部において弁本体に作用する前記の最低レベルを超えた駆動流体圧力に応答して偏位力に抗して移動せしめられて、駆動流体を回転子駆動装置の前記第１部分（５１）に導入させ、かつ所定の最低レベルよりも低い駆動流体圧力に応答して回転子駆動装置の第１部分を駆動流体源から閉ざすピストン（９１）を備えていることを特徴とする請求の範囲第３項に記載の遠心クリーナ。
【発明の詳細な説明】
本発明は高速度で回転する容器を通過する液体から固体汚染物を分離する装置を含む遠心型の液体浄化装置に関し、かつ特に室を該室内の液体と異なる駆動流体により回転する遠心クリーナを含む装置に関する。
流体、しばしば、液体からずべての粒度即ち大きさ（ｓｉｚｅ）の固体汚染物を遠心クリーナにより除去することは、よく知られている。遠心クリーナにおいては、実質的に垂直に取り付けられた高速回転子が流体を通過させる汚染物沈着容器（さらに便利には単に汚染物容器と呼ばれている）を含みかつ固体汚染物が流体から分離され、容器壁部に付着し、該容器壁部から固体汚染物を定期的に除去し、または容器を取り替えることができる。このような遠心クリーナは、該クリーナと共に使用されるエンジンまたは同様な回転装置に取り付けられた外側継手により駆動される回転子を有することができ、その結果、複雑なかつ高価な装置になり、または回転子は、さらに従来通りに、汚染物容器に加圧下で供給される流体を接線方向に向けられたノズル装置を経て流出することにより駆動することができ、流体の流出時の反作用により、回転子が効果的な遠心分離のために不可欠な高速度で回転される。回転子が浄化される流体により駆動されるこのような流体クリーナは、通常、自家動力式遠心クリーナと呼ばれている。
遠心分離のために十分に高い速度で回転子の連続回転を維持するために十分に高い圧力を一貫して有していない液体を受け入れることが知られている。このような状況においては、汚染物容器の出口に設けられた反作用ノズル装置が大きい汚染物粒子により閉塞されるか、または小さい汚染物粒子を通過させるかもしれない。
連続した最低圧力における汚染した液体の供給の点からみると、このような一貫していない供給が認められる一つの場合は、逆流洗浄装置を使用する、いわゆる、自浄式バリヤフィルタユニットである。
ハウジングが各々がポンプで圧送される流体の共通の入口室にさらされる入口面と、濾液、すなわち、浄化された流体が依然として加圧されたフィルタユニットを去る前に収集される共通の出口室にさらされる反対側の出口面とを有する複数のフィルタエレメントまたは別々の表面領域を含む自浄式バリヤフィルタユニットは、この技術においてよく知られている。それに加えて、入口室はシールド部材またはカバー部材を有し、該シールド部材は、各々の入口面を順次入口室から隔離しかつ各々の入口面をその代わりにハウジングに残される廃棄用導管と接続するために定期的に作用可能であり、それによりシールド部材をエレメント毎に移動するときに、一時的に遮蔽されたエレメントが出口室からの逆流をうけ、逆流により、汚染物の堆積物をエレメントの入口面から除去しかつ堆積物を廃棄用導管に沿って洗い流す作用が得られる。このような汚染した液体は、汚染物の高い濃度にもかかわらず、通常、液体溜めに戻され、その後、液体は液体溜めから液体浄化装置のまわりにポンプで圧送されかつ固体汚染物は再びバリヤフィルタにより保持される。このような装置は汚染物が液体溜めとバリヤフィルタとの間の液体浄化装置内に収容されることを保証するが、液体溜め内の液体は逐次さらに汚染される。
このような自浄式バリヤフィルタユニットは、いわゆる、間欠的な態様で作用することができ、シールド部材またはカバー部材が入口面領域の間に時折のみ移動し、かつ多分、シールド部材がその領域に役立つ全体の時間よりも短い所定の時間間隔の間に入口面領域を通じての流れを制限しかつ／またはシールド部材が入口面領域の間で変化し、または連続した態様で変化し、それにより逆流洗浄された液体の流れが連続し、しかも入口面の領域が連続的に変化する状態からたびたび浄化される状態に変化する。液体が廃棄用導管に永久的にまたは長期間流れるときに、廃棄用導管を経てフィルタユニットから除去される総量が限度内に保たれなければならず、この目的のために、逆流洗浄にさらされる入口面の面積と暴露時間との積が入口面の浄化に関して首尾一貫している限り最小であることが理解されよう。従って、間欠的な逆流洗浄装置は、短い期間の間に高い流量で洗浄することができるのに対して、連続的な逆流洗浄装置は、比較的に小さい流量を発生することを意図している。
このような自家動力式遠心クリーナをバリヤ型フィルタと組み合わせて使用することは欧州特許公開第０６０６５７８号明細書に開示され、バリヤ型フィルタは液体の一定の供給量を送出し、そのうちのある量の液体は、循環装置の残部をバイパスするために遠心クリーナを通じてそらせることができる。
このような自家動力式の慣用のサイズを有しかつ取り付けられた遠心クリーナは、このようなバリヤ型フィルタからの逆流洗浄された液体と共に運転せざるをえないときに、液体の通過により、回転子を遠心分離が行われる速度で加速し、または回転子の回転を行うことができない連続した低い流量において加速する前に各々の流れの少なくとも一部分を汚染物容器に送ることを必要とする間欠的な流れおよびその可変の圧力のために満足な作用をしないことが判明している。また、回転効率が低く、従って、分離効率が低い状況において、もしもこのような著しく汚染した液体が遠心クリーナに供給されれば、分離せずかつ保留された汚染物が堆積しかつ比較的に小さい反作用ノズルが容器を去りかつ容器の閉塞を生ずるときに、液体用の逆流洗浄通路のこの閉塞をひき起こす可能性がある。
米国特許第３７９１５７６号の場合のように、汚染物容器を汚染した流体と異なる流体により回転すること知られている。この米国特許に記載された遠心分離装置は、異なる密度を有する液体を分離することに主として関しているが、とはいえ、この分離は、また、回転子の容器の内部の液体からある固体汚染物を分離することをも含むことができる。汚染した液体が固体のみにより汚染されかつこのような固体が供給された液体の比較的な高い比率を占めている場合には、回転子の容器がさらに迅速に満たされかつさらに頻繁に除去することが必要になる傾向を生じ、もしも汚染した液体それ自体が以前に行った濾過プロセスの汚染物を含む残留物であれば、その結果はさらに悪化するであろう。そのうえ、回転子の世話をするために遠心分離装置への汚染した液体の供給を中断することは便利でないかもしれない。
本発明の一つの目的は、既知の装置の不利点を誘発する液体から固体汚染物を浄化するための遠心液体浄化装置を提供することにある。
本発明によれば、固体汚染物を含む液体を供給するための流体動力式遠心クリーナは、周囲圧力に保たれた排出領域を画成する台部を有するハウジングと、台部からハウジングを通る作用可能な垂直軸線に沿って延在しかつ前記の汚染した液体を受け入れるための軸線方向に延在する主入口通路を含むスピンドル装置と、排出領域および主入口通路と連絡する環状汚染物室を備えているスピンドル装置のまわりに回転するために該スピンドル装置上に支持された回転子と、内部に超周囲圧力に保たれた駆動流体の一貫した供給を受け入れるためにハウジングに対して固定された第１部分と、軸線のまわりに回転するように回転子と結合された第２部分とを含む流体により作動する回転子駆動装置とを備え、第２部分は汚染物容器を通過する前記液体からの固体汚染物の遠心分離を行うために必要な少なくとも最低速度において回転子を回転するために前記液体と異なる駆動流体を前記排出領域に第１部分および第２部分を経て流すために作用可能であり、さらに、前記の汚染した液体をハウジングに供給すると同時に回転子の取外しを可能にするために作動可能な制御弁装置を備えている。
さて、本発明の実施例を添付図面を参照して説明する。添付図面においては、
図１はポンプ装置と間欠逆流洗浄装置を有するバリヤフィルタとを含みかつ本発明によりポンプ装置により供給された液体浄化装置の液体により駆動される逆流洗浄された液体用の流体で駆動される遠心クリーナを含む液体浄化装置の略図であり、
図２は図１の流体で駆動される遠心クリーナの断面側面図であり、かつ
図３（ａ）および図３（ｂ）は、図１のクリーナの台部をＡ−Ａ方向に見た横断面図でありかつ逆流洗浄された液体をクリーナを通じて導きまたは該液体をバイパスするための図１および図２における台部の制御弁の操作を例示する図である。
図１を参照すると、液体浄化装置１０は、液体溜め１１と、ポンプ装置１２と、バリヤまたは全量通過型フィルタ１３と、液体用利用装置１４と、利用された液体を液体溜めに戻す装置１５とを備えている。
フィルタ１３は、上記に実質上概説したような間欠逆流洗浄装置を有する型式であり、入口室１７および出口室１８のそれぞれを含むハウジング１６と、各々が入口室１７にさらされる入口面（ｉｎｌｅｔ  ｓｕｒｆａｃｅ）２１と呼ぶことができる表面と出口室１８にさらされる反対側の表面、すなわち、出口面２２とを有する金属メッシュのスクリーンを備えている複数のフィルタエレメント２０とを備えている。従って、ポンプで圧送される流体は、入口室に流入し、入口面から出口面まで各々のフィルタエレメントを通過し、かつ利用装置に流出する前に出口室内に収集される。このハウジングは、また、シールドまたはカバー２３′により表示された間欠逆流装置２３を含み、シールドまたはカバー２３′は、割出し機構（図示せず）により移動され、各々のフィルタエレメント２０またはその入口面２１を入口室から順次閉ざすと共に、出口面１８が出口室の圧力にさらされる。シールド２３は廃棄用導管２４を含み、該廃棄用導管により、圧力が出口面から入口面に向かって逆方向にフィルタエレメントを通じて排出されるときに、閉ざされたフィルタエレメントからの液体が出口室からの液体によりハウジングから除去され、かつそうすることにより入口面上に以前に沈着した汚染物を連行する。この技術においては、逆流洗浄の間にフィルタエレメントを横切る圧力差をできる限り大きくすることが望ましいことが知られている。
このような著しく汚染した逆流洗浄された液体は、通常、液体溜めに戻され、またはさらに全量通過型フィルタに戻されるが、しかし、本発明によれば、この液体は液体浄化装置の一部分を構成する流体動力で駆動される遠心クリーナ２５に供給されかつ連行する液体から固体汚染物の分離を行い、連行する液体を導管２６および液体溜め１１を経て液体浄化装置に戻すことができる。
さて、図２を参照すると、遠心クリーナ２５は、通路２６により溜め１１と連結された排出領域２５を画成する台部２８を有する全体を２７で示したハウジングを備え、通路２６は排水領域の内部の周囲圧力が標準の大気圧であるときに、重力による排水を容易にするような横断面積および勾配を有する。台部２８は、該台部からハウジングを通じて作用可能な垂直軸線３１に沿って延在するスピンドル装置３０を支持し、該スピンドル装置はその他方の端部において比較的に薄いカバー３２を支持し、カバー３２は継手３３において台部と衝接するために軸線方向に延在しかつ台部から取り外し可能である。
スピンドル装置は、逆流洗浄された液体を受け入れるために台部２８の入口導管３５（図３（ａ））を経て廃棄用導管２４と接続された該スピンドル装置に沿って部分的に延在する主入口通路３４を含む。
ハウジングは、さらに、スピンドル装置３０のまわりに回転するために該スピンドル装置上に支持された回転子４０を含む。回転子４０は、４３において開口を有するスタンドチューブ４２の下側部分４２Lを経て排出領域２９と連絡する開口部を有する環状汚染室４１と、ノズル装置４４とを備え、該ノズル装置は軸線３１のまわりに配列された複数の実質的に接線方向に向けられたノズル（同様に４４で示した）を備えている。スタンドチューブ４２は、汚染物容器４１の半径方向の内側の壁部を備えかつ隔壁４５により台部から分離されたスタンドチューブの上側部分４２Uが４６において開口部を有しかつ、以下にさらに十分に説明するように、全体を符号４７で示した回転可能な主流体継手を経て主入口通路３４と連絡している。
上記の遠心クリーナは、ノズルからの液体の噴出による反作用により回転子の高速回転を行うために慣行的に必要である比較的に大きい圧力降下と対照的に、ノズル４４を該ノズルを通過する液体に対して比較的に小さい圧力降下を生ずる寸法に構成することができることを除いては、慣用の型式である。ノズルの寸法は、それ自体十分でないかもしれないが、高速回転を行うための液体の首尾一貫していない供給に応じて液体の噴出による反作用により回転子に力を作用する噴出された液体にある圧力降下を発生することができ、かつその意味において、ノズル装置（およびノズル）４４は液体反作用ノズル装置およびノズルとそれぞれ呼ぶことができる。
本発明によれば、遠心クリーナは、また、全体を符号５０で示した流体で作動する駆動装置を含む。この駆動装置は、スピンドル装置と組み合わされかつスピンドル装置に沿ってかつ台部を通じて少なくとも部分的に延在しかつ超周囲圧力（ｓｕｐｅｒ−ａｍｂｉｅｎｔ  ｐｒｅｓｓｕｒｅ）（排出領域の周囲圧力が周囲として考えられる）に保たれた駆動流体を受け入れるための供給導管５２を受け入れるために接続された補助入口通路５１の形態のハウジングに対して固定された第１部分を備えている。駆動流体はポンプ装置１２からの液体浄化装置内の液体である。駆動装置は、また、流体反作用ノズル駆動装置５３を含む第２部分を備えている。流体反作用ノズル駆動装置５３は、回転子により担持されかつ排出領域２９に開口した複数の実質的に接線方向に向けられた駆動ノズル（同様に符号５３で示した）と、駆動ノズル５３を補助入口通路５１に回転可能な補助流体継手５５を経て個々に接続する複数の駆動導管５４とを備えている。駆動ノズル５３は液体反作用ノズル４４と隣接した汚染物容器の下側壁部内に便利に収容され、組み合わされた駆動導管５４は汚染物室を通じて駆動ノズル５３まで延在している。
従って、流体駆動装置は、ポンプ装置および／または導管５２、入口通路５１、導管装置５４または駆動ノズル装置５３のいずれかの寸法により調整された流量および圧力においてポンプ装置からの比較的に汚染していない液体の首尾一貫したかつ便利に一定の供給量を受け入れ、かつ汚染物容器４１を通過する逆流洗浄された液体からの固定汚染物の遠心分離を行うために回転子を少なくとも最低速度で回転するために駆動ノズル５３を経てポンプで圧送される液体の噴出に応答する。逆流洗浄された液体は、該液体が定期的に超周囲圧力に保たれる限りは、噴出時にノズル装置４４に対して反作用することができ、それゆえに、駆動ノズル装置５３からの回転子に対する反作用を補足し、それにより回転速度を増大し、従って、汚染物の分離効率を高める役目をする補足反作用ノズル装置を提供する。
ポンプで圧送される液体の一部分は駆動装置により使用され、その後、該液体は排出装置から遠心浄化された逆流洗浄された液体と共に液体溜めに戻され（・またはさらに浄化作用をうける）けれども、駆動ノズル装置５３は駆動流体として使用されるポンプで圧送される液体の比較的に僅かな部分のみが利用装置１４に達することが阻止されかつ必要であればポンプ装置の出力圧力および／または送出量を僅か増大することにより容易に補正される。
流体駆動装置の概念的に簡単な装置を遠心クリーナにおいて多数の方法で実施することができ、その方法のうちの図２に示した方法はその一実施例に過ぎないが、逆流洗浄された液体を汚染物容器に供給することに加えて、駆動流体（ポンプで圧送される液体）が静止した補助入口通路５１から回転式導管装置５４に供給される態様が実用のために重要であることは理解されよう。
スピンドル装置３０をさらに綿密に考究すると、スピンドル装置３０は静的なスピンドル６０を備えている。回転子４０は、その各々の端部に向かって６２および６３においてスピンドル６０に軸支されかつジャーナルの間に環状管空間６４を画成する軸受管６１を含む。スピンドル６０の内部には、軸線方向に相互に分離された主半径方向開口装置６５および補助半径方向開口装置６６のそれぞれを経て環状管空間６４と連絡する前記の主入口通路および補助入口通路が形成されている。各々の開口装置は、スピンドル６０のまわりに配置された一つまたはそれ以上の開口部を備えることができる。管シール装置６７が管空間６４を個々の主（上側）領域および補助（下側）領域のそれぞれに分離するために主半径方向開口装置６５と補助半径方向開口装置６６との間の軸線方向位置において軸受管６１とスピンドル６０との間に延在している。軸受管６１は、スタンドチューブの上側領域４２Uおよび開口部４６を経て汚染物室４１と連絡するために主領域において６８で示すように開口部を有し、かつ個々の駆動導管５４と連絡するために補助領域において６９で示すように開口部を有し、それにより前記の回転可能な主流体継手４７および回転可能な補助流体継手５５をそれぞれ提供する。
主入口通路および補助入口通路は、台部２８上に支持されたスピンドル６０の端部から延在する盲凹部７０内に便利に形成され、凹部７０内には、通路が同心状に画成され、一方の通路が他方の通路の内部に画成されている。
凹部７０は、台部から最も遠い少なくとも主半径方向開口装置６５まで延在しかつより小さい横断面積の管７１を内包し、管７１は主半径方向開口装置６５と補助半径方向開口装置６６との間の位置まで軸線方向に延在し、この位置で管７１は７２で示すようにスピンドル６０に対してシールされ、それにより管７１および凹部（主半径方向開口装置６５と連絡する）の内部に主入口通路を画成しかつ管７１を囲む補助入口通路５１（他方の半径方向開口通路６６と連絡する）を画成している。
（中空管または穴あけされた）スピンドル装置用のこのような構造体を採用することにより、慣用の自家用動力式遠心クリーナの回転子用の汚染液体入口を提供する慣用の軸支された軸受管の内部のスピンドルが補助入口通路を提供すると共に、スピンドルの内部の通路を台部内の延長部と整列させる場合のいかなる向きの問題をも回避し、スピンドルを台部にねじ山７３により簡単に固定可能にするために容易に適応させることができることは理解されよう。
逆流洗浄能力を有するこのようなバリヤフィルタを使用する主な理由がフィルタエレメントスクリーンの表面から汚染物を除去するために液体浄化装置を停止する必要なく該装置を長時間運転することにあることは理解されよう。本発明によれば、遠心クリーナには、液体浄化装置およびバリヤフィルタの連続運転の間に、すなわち、液体および駆動流体の遠心クリーナへの供給と同時に回転子をその汚染物容器と共に取り外すことを容易にするために作動可能である制御弁装置が組み合わされている。
ハウジング２７は、その台部２８の内部に制御弁装置８０を内包している。制御弁装置８０は、補助入口通路５１に駆動流体を通過させまたはその通過を妨げるために作用可能な駆動流体部分８１と、導管３５内に受け入れた逆流洗浄された流体の流れを主入口通路３４から排出領域２９に排出通路８３に通ずる通路２６を経てそらせるために部分８１と共に作用可能な「逆流洗浄された液体」部分８２とを備えている。
制御弁装置の部分８１および８２は、供給導管５２が接続されたハウジングの台部内の開口部８５を通じて延在する単一の弁本体８４により画成されている。弁本体８４の一端部８６は、開口部８５から突出し、該一端部はその長手方向軸線のまわりに回転することができるのに対して、他端部８７は、開口部８５と入口通路５１との接続部を越えて駆動流体を受け入れるための上記の供給導管５２の延長部を含む開口部８５の一部分まで延在している。
弁本体端部８６は、供給導管３６から駆動流体を受け入れるために該端部から軸線方向に延在する凹部８８と、その軸線のまわりの弁本体の向きの如何により駆動流体を入口通路５１に通過させまたは流体の通過を妨げる横開口部８９とを有し、それにより制御弁装置の駆動流体部分を画成している。弁本体８４は、また、該弁本体の向きと関係なく、横開口部８９を、受け入れた駆動流体から隔離するために凹部８８に沿って延在しかつばね９２により該凹部に向かって偏位したピストン９１を備えている締切弁９０を含む。締切弁９０は、その上に作用する所定の最低圧力を超えた駆動流体圧力に応答して偏位力に抗して移動せしめられ、それにより駆動流体を横開口部８９から流出させて補助入口通路に送り、すなわち、ポンプ送出圧力がその減損を維持するために十分であるときのみに、遠心クリーナが液体浄化装置から駆動流体を受け入れる。
また、図３（ａ）および図３（ｂ）を参照すると、弁本体８４は、また、該弁本体と開口部８５の壁部との間に凹部を画成するその周囲のまわりに部分的に延在するみぞ９５を有し、それにより横開口部８９が入口通路５１と整列する弁本体８４の第１回転位置においては、みぞ９５が逆流洗浄された液体受入れ導管３５を主入口通路３４と接続すると共に排水通路８３を閉塞するために配置されている。導管３４および３５を相互に閉じ、補助入口通路５１を駆動流体から隔離するために弁本体８４を回転させるときには、みぞ９５が逆流洗浄された液体を排水通路８６を経て排出領域２９に導きかつ主入口通路３４を隔離し、それによりハウジングを開くことが可能になりかつ液体浄化装置を通じての液体の流れを止めることなく、回転子４１を取り外すことが可能になる。遠心クリーナが隔離されている間に、いかなる著しく汚染された逆流洗浄された液体も排出領域に直接に排出しかつ液体溜めに戻すことができる。その後、遠心クリーナが作動しているときには、このような汚染物が最終的にバリヤフィルタにより捕獲されかつ遠心クリーナにより除去されるが、このような時折発生する汚染物および該汚染物を含む逆流洗浄された液体ですらも、液体溜めに液体を供給する排出領域２９よりもむしろ、液体浄化装置の外側の廃棄物に液体を排出する排出導管８３により液体浄化装置から排除することができる。
上記の流体動力で駆動される遠心クリーナの構造の細部については、本発明の範囲から逸脱することなく、多数の変更を行うことができることは理解されよう。
駆動装置の第１部分および第２部分は、また、上記に詳細に記載した形態と異なるその他の形態に構成することができる。例えば、第１部分は、静的なスピンドル内の中央凹部により画成された主入口通路を同心状に包囲して延在することと異なる補助入口通路を備えることができる。
対向した台部および／またはハウジングカバーから延在する単一の静的なスピンドルは、同じ端部または両端部から並行して延在する主入口通路および補助入口通路を有することができ、または台部およびハウジングカバーの各々から延在する１対の短いスピンドルとすることができる。補助通路をスピンドルの内部に画成することが便利であるけれども、補助通路を第２部分の回転可能な継手装置を備えているスピンドルを包囲する台部および環状通路空間の内部に付加的に画成することができる。入口通路が画成される方法の如何により、もしも液体が汚染物容器内に容器の下端部に向かって流入するとすれば、おそらくは、もしも出口が回転子の上端部における反作用ノズルを経由していれば、主半径方向開口装置は、上側開口部よりもむしろ下側開口部とすることができる。
それゆえに、駆動装置の第２部分は、任意の軸線方向位置におけるスピンドル装置から駆動流体を受け入れる導管装置５４を有することができかつ回転子に対する任意の軸線方向位置および半径方向位置における駆動ノズル装置まで延在することができる。このような駆動ノズル装置は、回転子の台部の部分に設けられ、すわなち、内部の導管から汚染物容器の壁部を通じて延在する垂直に配置された装置を備える必要はないが、しかし汚染物容器の外側に延在する駆動導管装置の端部を画成する簡単なノズルを備えることができる。
流体反作用駆動ノズル装置は、もしも回転子を駆動ノズル装置と共に回転させるために駆動ノズル装置が軸線のまわりに回転するように連結されていれば、回転子に固定する必要はない。
汚染物容器の外側の駆動ノズルに流体を導管装置と軸線を囲む環状室を画成する回転可能な継手装置とを経て供給する装置の代替装置においては、このような環状室は、軸線から所定距離まで半径方向に延在することができ、該環状室においては、反作用ノズル装置を該ノズル装置と連結された回転子の汚染物容器を効果的に回転するために環状室の壁部に画成することができ、すなわち、回転可能な継手装置が汚染容器に類似しかつ該容器に整列して配置されまたは多分該容器の内部に配置された流体用容器を備えることができる。
反作用駆動ノズル５３の構造にもかかわらず、もしも回転を生ずる接線方向が維持されれば、反作用駆動ノズル５３は、浄化された逆流洗浄された液体用ノズル４４と同じ回転位置に配置する必要がなく、またノズル４４に対して垂直に整列する必要もない。
前述した駆動装置は、流体を噴出する反作用として軸線のまわりに自由に回転するノズル装置から流体を噴出させることにより機能する。代替形態においては、回転子を１組の羽根ブレードと組み合わせかつ回転するために該羽根ブレードと連結することができ、前記羽根ブレードは、流体を該羽根ブレードに直接に衝突させて回転力を発生するために台部またはハウジングカバーから流体を噴出するように配置された静的なノズル装置からの駆動流体を受け入れるために排出領域の内部に配置されている。
流体が回転子およびその汚染物容器を高速度で駆動する機構にもかかわらず、汚染物室に送られた逆流洗浄された液体は、駆動流体が回転子の速度を維持するために十分な反作用を付与するときに、回転のための自家動力を供給するために遠心浄化された流体のために慣行的に使用される型式の反作用ノズル装置と異なるノズルにより汚染物室および回転子から流出することができ、液体は、例えば、回転子の台部において、多分、スタンドチューブ４２の下端部と整列している任意の箇所におけるスロットまたは大きい直径を有する穴から流出することができ、またはこの箇所には、反作用ノズル装置４４が、通常、配置されよう。このようなノズル、またはそれらの代替装置は、逆流洗浄されたフィルタ領域から汚染物を最適に洗い流すために該フィルタ領域を横切って最大の圧力差が得られるように該ノズルを横切って最大の圧力差を発生する寸法に構成することができる。
また、駆動流体が液体浄化装置を通じてポンプで圧送され、従って、排出領域２９内で浄化された液体と混合できる液体を含んでいると便利であるが、この液体が別の源からの流体、液体またはガスであってもよいことは理解されよう。
回転子が受け入れるいかなる逆流洗浄された液体も汚染物の遠心分離をうけるように、液体の供給が回転子の回転運動量を維持するために首尾一貫していることが必要である。この目的のために、流体の供給量が一定である必要はなく、供給速度または供給圧力について循環して変更することができ、多分、パルスをも変更することができ、それにより流体が遠心浄化を行うために所定の最低速度よりも高い速度で回転子の回転を行いかつ維持することができる。
もしも駆動流体と逆流洗浄された液体との隔離を個々の半径方向に分離した状態に維持することが必要であれば、環状排水領域を流体および液体用のハウジングの台部および回転子の台部に画成することができ、かつ浄化された逆流洗浄された液体と駆動流体とを異なる排出領域の中に流出させるように配置された反作用ノズル装置にも画成することができる。
代替装置においては、逆流洗浄された液体と混合することができない駆動流体を共通の排出領域の中に排出することができるが、多分、後程、密度に基づいて流体を分離するさらにその他の遠心分離装置により該液体から分離することができる。もしも排水を容易にするために適切な措置が取られれば、排水領域により規定された周囲圧力は、大気圧と異なる他の圧力とすることができる。
上記の説明は、遠心浄化装置が汚染した液体を受け入れるために作動可能でありかつそのための準備を整え、制御弁が液体の通過を管理することと関係なく、フィルタからのこのような液体を排出するために作動する逆流洗浄装置を含むバリヤフィルタからの汚染した液体の供給に基づいている。
本発明の装置が遮断不可能（ｎｏｎ−ｉｎｔｅｒｃｅｐｔａｂｌｅ）であろうとなかろうと、いずれにせよ、その他の形態の逆流洗浄装置または任意の供給源と共に同様に機能することは理解されよう。
【図１】
0003833707.tif 000002
【図２】
0003833707.tif 000003
【図３（ａ）】
0003833707.tif 000004
【図３（ｂ）】
0003833707.tif 000005